(57)【要約】【課題】小物や人形，模型等の多数の物品を簡単で体裁よく収容して陳列することができる物品陳列体を提供する。【解決手段】枠本体１と、この枠本体の内部に設けて物品を載置する仕切り体２とを有し、枠本体は複数個をその上下方向や左右方向へ接離自在に設けてあって、これら枠本体の外周において、上面と下面とにこれら枠本体の左右方向への移動を規制させる第一係合手段４を設ける共に、枠本体の両側面にこれら枠本体の上下方向への移動を規制させる第二係合手段５を設け、仕切り体は、枠本体に設けた嵌合溝８，９へ着脱自在に取り付けられる縦仕切部材１０および横仕切部材１１とからなる。【選択図】    図１
0003102234.tif 000002
【実用新案登録請求の範囲】
【請求項１】
板材により直方体の枠状に形成した枠本体と、この枠本体の内部に設けて物品を載置する仕切り体とを有する物品陳列体にあって、
前記枠本体は、その前後方向の少なくとも一側面の全面を開口してあり、
この枠本体は複数個をその上下方向や左右方向へ接離自在に設けてあって、これら枠本体の外周において、上面と下面とにこれら枠本体の左右方向または前後方向への移動を規制させる第一係合手段を設ける共に、前記枠本体の両側面にこれら枠本体の上下方向または前後方向への移動を規制させる第二係合手段を設け、
前記仕切り体は、前記枠本体に設けた嵌合溝へ着脱自在に取り付けられる縦仕切部材および横仕切部材とからなり、これら縦仕切部材と横仕切部材との交差部は、これら縦仕切部材と横仕切部材とにその前後方向に対して半分の幅分を刻設したそれぞれの取付溝が嵌合されて、前記枠本体内に多数の収納室が形成されることを特徴とする物品陳列体。
【請求項２】
仕切り体は、枠本体内において、そのその上下方向や左右方向に対して複数個を選択的に設けられることを特徴とする請求項１記載の物品陳列体。
【請求項３】
枠本体は、その前後方向の一側面の全面を開口した物品および仕切り体の出し入れ口を設け、この出し入れ口の他側にその他側面の全面を覆う可透性を有する閉塞板を設けてあって、
前記出し入れ口に、前記枠本体内に表示する、表面が着色された背景板を着脱自在に設けたことを特徴とする請求項１記載の物品陳列体。
【請求項４】
枠本体と仕切り体とは、可透性を有する素材により形成されていることを特徴とする請求項１記載の物品陳列体。
【考案の詳細な説明】
【技術分野】
【０００１】
本考案は、小物や人形，模型等の多数の物品を簡単で体裁よく収容して陳列することができる物品陳列体に関する。
【背景技術】
【０００２】
従来、小物や人形，模型等の多数個のコレクショングッズを収集しながら、日々これらを観て愉しむときは、例えば、机や棚などに単に並べ設けるだけであったため、せっかくの収集の趣向に劣り、これらを飾るあるいは鑑賞する楽しみが十分に得られないものであった。
また、これらの小物等は露出した状態で机や棚などに並べられるため、これら小物等の表面にはホコリが付着しやすく、そのための手入れなども面倒なものであった。
【考案の開示】
【考案が解決しようとする課題】
【０００３】
本考案は、前記した問題点を解決するためになされたもので、枠本体と、この枠本体の内部に設けて物品を載置する仕切り体とを有し、枠本体は複数個をその上下方向や左右方向へ接離自在に設けてあって、これら枠本体の外周において、上面と下面とにこれら枠本体の左右方向への移動を規制させる第一係合手段を設ける共に、枠本体の両側面にこれら枠本体の上下方向への移動を規制させる第二係合手段を設け、仕切り体は、枠本体に設けた嵌合溝へ着脱自在に取り付けられる縦仕切部材および横仕切部材とからなることにより、小物や人形，模型等の多数の物品を簡単で体裁よく収容して陳列することができる物品陳列体を提供することを目的としている。
【課題を解決するための手段】
【０００４】
前記した目的を達成するための本考案の手段は、
板材により直方体の枠状に形成した枠本体と、この枠本体の内部に設けて物品を載置する仕切り体とを有する物品陳列体にあって、
前記枠本体は、その前後方向の少なくとも一側面の全面を開口してあり、
この枠本体は複数個をその上下方向や左右方向へ接離自在に設けてあって、これら枠本体の外周において、上面と下面とにこれら枠本体の左右方向または前後方向への移動を規制させる第一係合手段を設ける共に、前記枠本体の両側面にこれら枠本体の上下方向または前後方向への移動を規制させる第二係合手段を設け、
前記仕切り体は、前記枠本体に設けた嵌合溝へ着脱自在に取り付けられる縦仕切部材および横仕切部材とからなり、これら縦仕切部材と横仕切部材との交差部は、これら縦仕切部材と横仕切部材とにその前後方向に対して半分の幅分を刻設したそれぞれの取付溝が嵌合されて、前記枠本体内に多数の収納室が形成される物品陳列体の構成にある。
【０００５】
仕切り体は、枠本体内において、そのその上下方向や左右方向に対して複数個を選択的に設けられる。
【０００６】
枠本体は、その前後方向の一側面の全面を開口した物品および仕切り体の出し入れ口を設け、この出し入れ口の他側にその他側面の全面を覆う可透性を有する閉塞板を設けてあって、
前記出し入れ口に、前記枠本体内に表示する、表面が着色された背景板を着脱自在に設ける。
【０００７】
枠本体と仕切り体とは、可透性を有する素材により形成されている。
【考案の効果】
【０００８】
本考案は、小物や人形，模型等の多数の物品を、簡単で体裁よく収容して陳列することができると共に、ホコリ等の異物の付着から守ることができる。
【考案を実施するための最良の形態】
【０００９】
次に、本考案に関する物品陳列体の一実施例を図面に基づいて説明する。
図１〜図３および図５〜図６，図９においてＡは物品陳列体で、可透性（透明または半透明であって、外部から該枠本体１を通して、この枠本体１内を可視することができる素材）を有する板材により直方体の枠状に形成した枠本体１と、この枠本体１の内部に設けて物品ｂを載置する仕切り体２とを有する。
【００１０】
前記した枠本体１は、プラスチック等により形成して、外側枠部材１ａ，１ｂ，１ｃ，１ｄによって、その前後方向の少なくとも一側面の全面を開口した物品ｂおよび後記する仕切り体２の出し入れ口３を設けてある。
そして、この枠本体１は、図５に示すように、複数個をその上下方向や、図６に示すように、左右方向へ、接離自在（組み合わせ連結自在）に設けてあって、これらの組み合わせを任意に行うことができる。
【００１１】
この複数個の枠本体１，１…の組み合わせ連結に際して、これら枠本体１，１…の外周において、上面と下面とに、これら枠本体１，１…の左右方向または前後方向への移動を規制させる第一係合手段４を設ける共に、枠本体１，１…の両側面にこれら枠本体１，１…の上下方向または前後方向への移動を規制させる第二係合手段５を設けてある。
この第一係合手段４および第二係合手段５は、例えば、図１〜図２，図７等に示すように、枠本体１における外側枠部材１ａ，１ｃの前後方向の全幅に対して線状に連続する突起状の凸条６ａと、この凸条６ａに見合うように凹条形状の凹条７ａおよび、枠本体１における外側枠部材１ｂ，１ｄの前後方向の全幅に対して線状に連続する突起状の凸条６ｂと凹条の凹条７ｂの係合によるもので、この例にあっては、枠本体１，１…の前後方向への移動規制はなされない。
【００１２】
なお、これら第一係合手段４および第二係合手段５は、図８に示すように（第二係合手段５は、図示してないが、第一係合手段４と同様に構成されるもので、図は省略する。）、円形状や図示してない楕円や角形，他の異形状に形成した一個または複数個の凸条６ａと、この凸条６ａに見合う形状の凹条あるいは穴状の一個または複数個の凹条７ａとの組み合わせによる場合もある。
更に、図示してないが、これら枠本体１，１…の結合および結合解除を行う第一係合手段４および第二係合手段５は、これら枠本体１，１…の左右方向と上下方向または前後方向への移動を規制させる構成のものであれば任意の手段が採用し得る。
【００１３】
前記した仕切り体２は、可透性（透明または半透明であって、外部から仕切り体２を通して物品ｂ等を可視することができる素材）を有する板材により形成されていて、枠本体１における外側枠部材１ａ，１ｂ，１ｃ，１ｄの内側へ、その前後方向の全幅に対して線状に連続するように設けた嵌合溝８，９へ、着脱自在に取り付けられる縦仕切部材１０および横仕切部材１１とからなる。
【００１４】
また、これら縦仕切部材１０と横仕切部材１１との交差部は、図４に示すように、これら縦仕切部材１０と横仕切部材１１とにその前後方向に対して半分の幅分で、これら縦仕切部材１０と横仕切部材１１の厚さ分を刻設したそれぞれの取付溝１０ａ，１１ａが嵌合されることで、格子状となる棚と仕切り壁が形成され、これによって、物品ｂの収納室１２が形成される。
【００１５】
この仕切り体２における縦仕切部材１０および横仕切部材１１は、枠本体１内において、そのその上下方向や左右方向に対して複数個を選択的に設けられて、かつ、これら縦仕切部材１０と横仕切部材１１とは、その取付溝１０ａ，１１ａへの嵌合枚数を任意に変えることができる。
そして、その変化の形態は、例えば、図２等において示すように、二枚の縦仕切部材１０と一枚の横仕切部材１１による均等容積のマス目となる六つの収納室１２としたり、図９（ａ）に示すように、一枚の縦仕切部材１０と一枚の横仕切部材１１により容積の異なる四つの収納室１２としたり、図９（ｂ）に示すように、一枚の横仕切部材１１のみにより上下二つの収納室１２としたり、図９（ｃ）に示すように、二枚の縦仕切部材１０により左右方向三つの収納室１２としたり、あるいは、図９（ａ）に示すように、縦仕切部材１０および横仕切部材１１を全く使用しない枠本体１内全体が収納室１２となるように形成したりできるものである。
【００１６】
なお、該仕切り体２における縦仕切部材１０および横仕切部材１１による収納室１２の形成は、図１，図２等においては、最大６室に設けられているが、図１において仮想線で示すように、枠本体１に、嵌合溝８，９をより多数設けることで、これら嵌合溝８，９への縦仕切部材１０および横仕切部材１１の任意の差し換えあるいは加除により、収納室１２の増減を任意に図ることができる。この際、この容積に変化有る収納室１２の形成にあっては、これら収納室１２の変化に対応して縦仕切部材１０および横仕切部材１１に設けた取付溝１０ａ，１１ａの刻設位置も変化させるものである。
【００１７】
なお、前記した枠本体１は、図１および図３に示すように、その前後方向の一側面の全面を開口した物品ｂおよび仕切り体２の出し入れ口３を設けてあって、この出し入れ口３の他側にその他側面の全面を覆う可透性（透明または半透明であって、外部から後記する閉塞板１３を通して物品ｂ等を可視することができる素材）を有する閉塞板１３を設けてある。
これにより、図３に示すように、物品陳列体Ａにおけるの出し入れ口３を壁面１４へ近接または当接させた陳列状態にあって、物品ｂを収納した収納室１２内へのホコリや虫などの異物の侵入が防止できる。
【００１８】
また、この出し入れ口３の開口全面に、枠本体１内に表示する、すなわち、閉塞板１３面側が全面となったとき、この閉塞板１３を通して可視できる黒色に着色された背景板１４を着脱自在に設けることもできる。なお、ときどき趣向を変えるために、他の色に着色した背景板１４を付け替えることもできる。
【００１９】
したがって、前記のように構成される本考案実施例の物品陳列体Ａは、仕切り体２における縦仕切部材１０や横仕切部材１１を、図２に示すように、あるいは、図９において各例に示すような形態に適宜取付溝１０ａ，１１ａへの嵌合状態を選定して、縦仕切部材１０や横仕切部材１１を出し入れ口３から差し換え、物品ｂの大きさに合わせてその収納室１２の容積を構成する。
【００２０】
そして、枠本体１の出し入れ口３から各収納室１２へ好みの物品ｂを収納載置する。その後、この出し入れ口３を背面側にして壁面などへ向けて当接すれば、簡単な陳列のためのケースができる。
これにより、利用者は、コレクショングッズである物品ｂを枠本体１越しに鑑賞して楽しむことができる。
【００２１】
物品ｂの収集が増えれば、新たな枠本体１を先の枠本体１へ付け足すことができるもので、これら枠本体１の外周部に設けた第一係合手段４および第二係合手段５の係合によって、図５に示すように、複数個の枠本体１，１…を上下方向に積み上げて一体的にしたり、図６に示すように、複数個の枠本体１，１…を左右方向へ並べ設けて一体的にしたりすることで、多数の物品ｂの陳列に対応することができる。
【図面の簡単な説明】
【００２２】
【図１】本考案に関する物品陳列体の一実施例を示す斜視図である。
【図２】図１における物品陳列体の使用状態を示す正面図である。
【図３】図１における物品陳列体を示す一部を破断した側面図である。
【図４】図１における物品陳列体の仕切り体を示す斜視図である。
【図５】図１における物品陳列体の複数個を上下方向へ組み合わせた状態を示す斜視図である。
【図６】図１における物品陳列体の複数個を左右方向へ組み合わせた状態を示す斜視図である。
【図７】図１における物品陳列体の第一係合手段と第二係合手段との係合状態を示す要部の断面図である。
【図８】図１における物品陳列体の他の例の第一係合手段と第二係合手段との係合状態を示す要部の斜視図である。
【図９】図１における物品陳列体の仕切り体の各利用例を示す説明図である。
【符号の説明】
【００２３】
Ａ…物品陳列体．ｂ…物品．１…枠本体．２…仕切り体．３…出入り口．４…第一係合手段．５…第二係合手段．８，９…嵌合溝．１０…縦仕切部材．１１…横仕切部材．１０ａ，１１ａ…取付溝．１２…収納室．１３…閉塞板．１４…背景板．
【図１】
0003102234.tif 000003
【図２】
0003102234.tif 000004
【図３】
0003102234.tif 000005
【図４】
0003102234.tif 000006
【図５】
0003102234.tif 000007
【図６】
0003102234.tif 000008
【図７】
0003102234.tif 000009
【図８】
0003102234.tif 000010
【図９】
0003102234.tif 000011